(57)【要約】【課題】大きさの小さな原稿の画像処理を行うためのフォームシート、このフォームシートを用いて原稿の画像処理を行う画像処理装置、及びこの画像処理装置を備えた画像処理システムを提供する。【解決手段】フォームシート６０には、原稿の裏面の画像データを読み取る窓としての第１の開口部６１と原稿の表面の画像データを読み取る窓としての第２の開口部６２とが設けられる。また、フォームシート６０の上面には、原稿の画像データを処理するための操作を簡単に行えるように、原稿の縮小図と文字とによって操作の手順が詳細に記されている。一方、フォームシート６０の下面には、第１の開口部６１及び第２の開口部６２のそれぞれの位置とサイズの情報とが記憶された下面側２次元コード６８が各開口部６１，６２に対して表示されるとともに、フォームシート６０のＩＤ情報が記憶された下面側２次元コード６８が表示される。【選択図】図４
2007081607.tif 000002
【特許請求の範囲】
【請求項１】
スキャナ機能を有する画像処理装置を用いて読み取った原稿の画像データを処理するために用いられるフォームシートであって、
前記フォームシートの表面と裏面とを貫通するとともに原稿を挿入することにより原稿の画像データを読み取るための開口部が設けられ、
前記フォームシートの表面と裏面のうち前記画像処理装置による読み取りが行われる面には、前記フォームシートにおける原稿の画像データが存在する領域を前記画像処理装置または当該画像処理装置に通信ネットワークを介して接続される端末装置に認識させて原稿の画像データを処理させるために、前記フォームシートに設けられた前記開口部の位置に関する情報が記録された位置情報コードが表示されることを特徴とするフォームシート。
【請求項２】
前記フォームシートの表面と裏面のうち前記位置情報コードが表示される面には、前記フォームシートの画像データに基づいて前記開口部の領域内に存在する原稿の画像データの処理方法を前記画像処理装置または前記端末装置に認識させるために、前記フォームシートの形式に関する情報が記録された形式情報コードが表示されることを特徴とする請求項１に記載のフォームシート。
【請求項３】
前記フォームシートの表面と裏面のうち前記位置情報コードが表示される面には、前記フォームシートの画像データに基づき前記画像処理装置にセットされた前記フォームシートの方向を前記画像処理装置または前記端末装置に認識させるために、前記フォームシートの方向に関する情報が記憶された方向情報コードが２ヶ所に表示されることを特徴とする請求項１または請求項２の何れかに記載のフォームシート。
【請求項４】
請求項１から請求項３の何れかに記載のフォームシートを載置するための載置部材を備え、
前記載置部材上に載置されるとともに原稿が前記開口部に挿入された前記フォームシートの画像データを読み取る処理と、
前記フォームシートの画像データに含まれる前記位置情報コードを認識し、前記フォームシートにおける前記開口部の領域を切り取って前記開口部の領域内に存在する原稿の画像データを加工する処理と、
を行うことを特徴とする画像処理装置。
【請求項５】
請求項１から請求項３の何れかに記載のフォームシートを載置するための載置部材を備えて、前記載置部材上に載置されるとともに原稿が前記開口部に挿入された前記フォームシートの画像データを読み取る処理を行う画像処理装置と、
前記画像処理装置に通信ネットワークを介して接続されるとともに、前記フォームシートの画像データに含まれる前記位置情報コードを認識し、前記フォームシートにおける前記開口部の領域を切り取って前記開口部の領域内に存在する原稿の画像データを加工する処理を行う端末装置と、
から構成されることを特徴とする画像処理システム。
【発明の詳細な説明】
【技術分野】
【０００１】
本発明は、原稿の画像処理を行うためのフォームシート、このフォームシートを用いて原稿の画像処理を行う画像処理装置、及びこの画像処理装置を備えた画像処理システムに関する。
【背景技術】
【０００２】
従来より、スキャナ機能を有する複写機などの画像形成装置が知られている。そして、様々な定形業務のシーケンスを予め画像形成装置に登録しておくことにより、原稿をスキャンすることによって、選択された定形業務の種類に応じた複数の処理を一度に行うことができる。この定形業務としては、例えば、スキャナ機能を用いて読み取った原稿の画像データをファクシミリ機能やメール転送機能を用いて指定された宛先に送信する処理や、スキャナ機能を用いて読み取った原稿の画像データをコピー機能を用いて印字出力する処理、などが挙げられる。
【０００３】
また、このような定形業務を行う画像形成装置として、定型フォームにて記載された原稿の画像データの中からＯＣＲ機能を用いて文字部分の文字を認識し、画像データの内容により任意の処理を施して出力することによって、所定の入力情報に対して得たい最終出力までを自動化処理するようにしたものが提案されている（特許文献１参照）。
【０００４】
この画像形成装置では、日付、名称、金額、商品番号、及び伝票番号を記入するための空欄が所定位置に設けられたＡ５サイズの売り上げ伝票が定型フォームとして使用される。また、この画像形成装置には、空欄に記入された文字を読み取るための位置情報と、空欄に記入される文字が日付、名称、金額、商品番号、及び伝票番号の何れであるかを示す文字情報と、が記憶されている。
【０００５】
そして、オートドキュメントフィーダーに売り上げ伝票を数十枚セットし、スタートボタンを押すと、売り上げ伝票の画像データが読み取られ、予め記憶された位置情報に基づき、画像データの中から文字部分の文字、即ち、空欄に記入された文字がＯＣＲ機能により認識される。続いて、これらの文字が日付、名称、金額、商品番号、及び伝票番号の何れであるかを示す文字情報に基づき、演算部において３０日分の日付ごとの売り上げ金額の合計が算出され、出力画像作成部で作成された日付ごとの売上金額の合計を表すグラフがプリンター部より出力される。
【特許文献１】特開平８−１１１７７０号公報
【発明の開示】
【発明が解決しようとする課題】
【０００６】
しかしながら、オートドキュメントフィーダーにより搬送することのできない大きさの小さい原稿（例えば、名刺や各種カードなど）については、コンタクトガラス上の所定位置に原稿を１枚ずつ載置してこの原稿の画像データを読み取る必要がある。このとき、処理に慣れたユーザは、コンタクトガラス上の所定位置に正確に原稿を載置することが可能であるが、処理に慣れていないユーザは、コンタクトガラス上に、横向きや縦向きなど、様々な向きに原稿を載置する可能性がある。また、処理に慣れたユーザでも、稀にしかない作業であれば、コンタクトガラス上の所定位置と異なる位置に原稿を載置する可能性がある。
【０００７】
そして、読み取った原稿の画像データを処理する範囲がコンタクトガラス上の領域で指定されているとき、定形業務を行う際に、原稿がコンタクトガラス上の所定位置に正確に載置されないと、読み取った原稿の画像データを正確に処理することができない。また、読み取った原稿の画像データを正確に処理することができない場合、原稿をコンタクトガラス上の正しい位置に載置し直して、再度この原稿の画像データを読み取る必要があり、原稿の画像データを読み取るために多くの時間を要する。
【０００８】
これに対し、画像形成装置に液晶パネルなどにより構成される表示画面を設置し、この表示画面を通じて処理手順をガイドすることは可能であるが、そのために処理手順をガイドするためのソフトウェアが必要となる。また、このソフトウェアは、視覚的になればなる程その構成が複雑なものとなり、作成に多くの時間と費用を要する。また、処理に慣れていないユーザが原稿をコンタクトガラス上の所定位置に正確に載置するためには、別途マニュアルを作成し、そのマニュアルに沿って処理を行う必要があり、ユーザがマニュアルを読解するために多くの時間を要する。
【０００９】
本発明は、かかる点に鑑みてなされたものであり、その目的とするところは、大きさの小さな原稿の画像処理を行うためのフォームシート、このフォームシートを用いて原稿の画像処理を行う画像処理装置、及びこの画像処理装置を備えた画像処理システムを提供することにある。
【課題を解決するための手段】
【００１０】
上記目的を達成するために、本発明のフォームシートは、スキャナ機能を有する画像処理装置を用いて読み取った原稿の画像データを処理するために用いられるフォームシートであって、前記フォームシートの表面と裏面とを貫通するとともに原稿を挿入することにより原稿の画像データを読み取るための開口部が設けられ、前記フォームシートの表面と裏面のうち前記画像処理装置による読み取りが行われる面には、前記フォームシートにおける原稿の画像データが存在する領域を前記画像処理装置または当該画像処理装置に通信ネットワークを介して接続される端末装置に認識させて原稿の画像データを処理させるために、前記フォームシートに設けられた前記開口部の位置に関する情報が記録された位置情報コードが表示されることを特徴とする。
【００１１】
このように構成されたフォームシートにおいて、前記フォームシートの表面と裏面のうち前記位置情報コードが表示される面には、前記フォームシートの画像データに基づいて前記開口部の領域内に存在する原稿の画像データの処理方法を前記画像処理装置または前記端末装置に認識させるために、前記フォームシートの形式に関する情報が記録された形式情報コードが表示される。
【００１２】
また、上述のそれぞれのフォームシートにおいて、前記フォームシートの表面と裏面のうち前記位置情報コードが表示される面には、前記フォームシートの画像データに基づき前記画像処理装置にセットされた前記フォームシートの方向を前記画像処理装置または前記端末装置に認識させるために、前記フォームシートの方向に関する情報が記憶された方向情報コードが２ヶ所に表示されるものとしても構わない。
【００１３】
また、上記目的を達成するために、本発明の画像処理装置は、上述の何れかに記載のフォームシートを載置するための載置部材を備え、前記載置部材上に載置されるとともに原稿が前記開口部に挿入された前記フォームシートの画像データを読み取る処理と、前記フォームシートの画像データに含まれる前記位置情報コードを認識し、前記フォームシートにおける前記開口部の領域を切り取って前記開口部の領域内に存在する原稿の画像データを加工する処理と、を行うことを特徴とする。
【００１４】
また、上記目的を達成するために、本発明の画像処理システムは、上述の何れかに記載のフォームシートを載置するための載置部材を備えて、前記載置部材上に載置されるとともに原稿が前記開口部に挿入された前記フォームシートの画像データを読み取る処理を行う画像処理装置と、前記画像処理装置に通信ネットワークを介して接続されるとともに、前記フォームシートの画像データに含まれる前記位置情報コードを認識し、前記フォームシートにおける前記開口部の領域を切り取って前記開口部の領域内に存在する原稿の画像データを加工する処理を行う端末装置と、から構成されることを特徴とする。
【発明の効果】
【００１５】
本発明によれば、大きさの小さい原稿の画像データの処理を行う場合に、開口部が設けられたフォームシートを用いることで、この開口部に原稿が挿入されたフォームシートを当該フォームシートの画像データを読み取るための部材上の所定位置に正確に載置することができ、画像処理装置または当該画像処理装置に接続された端末装置が、画像処理装置によって読み取られたフォームシートの画像データから開口部の領域を正確に切り取って当該開口部の領域内に存在する原稿の画像データの処理を行うことができる。従って、本発明によれば、開口部が設けられたフォームシートを用いて、大きさの小さな原稿の画像処理を正確に、且つ短時間で行うことができる。
【発明を実施するための最良の形態】
【００１６】
以下、本発明の実施形態を図面に基づいて詳細に説明する。尚、以下の実施形態では、フラットベッドスキャナを例に本発明の画像処理装置及びこの画像処理装置を備えた画像処理システムについて説明する。
【００１７】
《発明の実施形態》
図１に示すように、本実施形態の画像処理システムは、パーソナルコンピュータなどの端末装置１０と画像処理装置であるフラットベッドスキャナ２０とによって構成されており、この端末装置１０とフラットベッドスキャナ２０とがＬＡＮ（Local Area Network）４０に接続されている。
【００１８】
このように構成された画像処理システムにおいて、図２に示すように、フラットベッドスキャナ２０は、矩形状のスキャナ本体２１と、このスキャナ本体２１の上面を覆う薄板状の原稿押えカバー２２と、によって構成されている。そして、スキャナ本体２１の上面には、原稿の画像データを読み取るために長方形状の断面を有するコンタクトガラス２３が嵌め込まれており、コンタクトガラス２３の上面の高さがスキャナ本体２１の上面の高さよりも少しだけ低くなっている。
【００１９】
また、スキャナ本体２１の上面におけるコンタクトガラス２３の周囲には、コンタクトガラス２３の４つの角のうち１つの角に原稿の角を合わせるために、原稿を載置する箇所が矢印２４で示されている。また、スキャナ本体２１の上面におけるコンタクトガラス２３の周囲には、原稿をコンタクトガラス２３上の正しい位置に載置するために、原稿の端部の延長線と一致するガイド線２５が原稿のサイズ（例えば、Ａ４，Ｂ４など）ごとに引かれている。
【００２０】
そして、図１に示すように、このフラットベッドスキャナ２０は、光源（不図示）より出射される光をコンタクトガラス２３を通じて原稿に照射することにより原稿の画像データを読み取るスキャナ部２６と、スキャナ部２６で読み取った原稿の画像データを処理するためのプログラムが格納される記憶媒体２７と、スキャナ部２６で読み取った原稿の画像データを格納するとともに後述するマイクロコントローラ３０によって処理された原稿の画像データを格納する作業用メモリ２８と、ＬＡＮ４０に接続されて端末装置１０との間でデータの送受信を行う送受信部２９と、スキャナ部２６で読み取った原稿の画像データを処理するとともにスキャナ部２６及び送受信部２９の動作を制御するマイクロコントローラ３０と、を備えている。
【００２１】
このような構成のフラットベッドスキャナ２０において、図３（Ａ）に示すライセンスカード５０の表面と図３（Ｂ）に示すライセンスカード５０の裏面の画像データを読み取ってこれらの画像データを処理するために用いられるフォームシート６０について説明する。尚、ライセンスカード５０は、一般的な名刺サイズ（９１０×５５０ｍｍ）と同程度の大きさのものとする。
【００２２】
ここで、Ａ４やＢ４サイズなどの原稿と比べて大きさの小さいライセンスカード５０は、フラットベッドスキャナ２０のコンタクトガラス２３上に、横向きや縦向きなど、様々な向きに置かれる可能性がある。そして、読み取ったライセンスカード５０の画像データを処理する範囲がコンタクトガラス２３上の領域で指定されているとき、ライセンスカード５０がフラットベッドスキャナ２０のコンタクトガラス２３上の正しい位置に載置されないと、読み取ったライセンスカード５０の画像データを正確に処理することができない。このような問題を防止すべく、本実施形態では、図３（Ａ）及び（Ｂ）に示すライセンスカード５０の画像データを読み取ってこれらの画像データを正確に処理するために、図４に示すフォームシート６０が用いられる。
【００２３】
図４に示すフォームシート６０は、Ａ４サイズ程度の大きさであり、厚紙などによって形成されている。そして、図４（Ａ）に示すように、このフォームシート６０の上面には、フォームシート６０のタイトルが「ライセンス記載内容変更申請書」と記載されるとともに、フォームシート６０の表裏面を区別するために「この面を上にして使用してください」と記載されている。尚、フォームシート６０における上向きに使用される面は、コンタクトガラス２３と向き合う面と反対の面であり、スキャナ部２６による画像データの読み取りが行われる面と異なる。また、このフォームシート６０の上面には、フォームシート６０の使用後にライセンスカード５０の取り忘れを防止するために「ライセンスカードの取り忘れに御注意」と記載されている。
【００２４】
また、図４（Ａ）及び（Ｂ）に破線で示すように、このフォームシート６０には、ライセンスカード５０の形状に合わせてフォームシート６０の一部を切り取ることにより形成されるライセンスカード５０の画像データを読み取る窓としての開口部６１，６２が２ヵ所に設けられている。そして、これらの開口部６１，６２のうち、ライセンスカード５０の裏面の画像データを読み取る窓となる方が第１の開口部６１を構成するとともに、ライセンスカード５０の表面の画像データを読み取る窓となる方が第２の開口部６２を構成する。尚、図４（Ｂ）に示すフォームシート６０の下面に、第１及び第２の開口部６１，６２を覆うように透明のビニールシート（不図示）を貼り付けてもよい。
【００２５】
また、図４（Ａ）及び（Ｂ）に破線で示すように、第１及び第２の開口部６１，６２のそれぞれには、ライセンスカード５０をこれらの開口部６１，６２から取り外し易くするために、半円形の切り欠き６３が設けられている。
【００２６】
また、図４（Ａ）に示すように、このフォームシート６０の上面には、ライセンスカード５０をフォームシート６０に挿入する際にライセンスカード５０の位置合わせを容易に行えるよう、各開口部６１，６２の角の周囲に黒色に着色されたＬ字型の縁取り６４が設けられている。或いは、このフォームシート６０の上面における各開口部６１，６２の角の周囲に段差を設け、この段差の部分の高さをフォームシート６０の上面における他の部分より低くすることによっても、ライセンスカード５０をフォームシート６０に挿入する際にライセンスカード５０の位置合わせを容易に行うことができる。
【００２７】
また、図４（Ａ）に示すように、このフォームシート６０の上面には、ライセンスカード５０の画像データを処理するための操作手順として、まず、ライセンスカード５０の裏面をスキャンし、次に、ライセンスカード５０の表面をスキャンすると、処理が終了する、といった内容が１から３の丸囲みの数字とともに記載されている。また、図４（Ａ）に示すように、このフォームシート６０の上面には、２種類のライセンスカード５０を同時に処理する際の操作手順として、一方のライセンスカード５０の表面をスキャンすると同時に他方のライセンスカード５０の裏面をスキャンすることが可能である旨の内容が記載されている。
【００２８】
また、このフォームシート６０の上面には、ライセンスカード５０の表裏面やその向きを間違えて各開口部６１，６２に挿入することを防止するための操作手順が、図解により示されている。具体的に、図４（Ａ）に示すように、このフォームシート６０の上面には、ライセンスカード５０の裏面をスキャンするためにライセンスカード５０の裏面を横向きにひっくり返して第１の開口部６１に挿入する旨の内容や、ライセンスカード５０の表面をスキャンするために、ライセンスカード５０の表面を横向きにひっくり返して第２の開口部６２に挿入する旨の内容が、ライセンスカード５０の図と矢印とによって示されている。
【００２９】
更に、図４（Ａ）に示すように、フォームシート６０の上面において、その左下には、上面側２次元コード６５が表示されている。そして、上面側２次元コード６５には、この面がフォームシート６０の上面（即ち、スキャナ部２６による画像データの読み取りが行われる面と反対の面）であることを示す情報が記憶されている。
【００３０】
このように、フォームシート６０の上面には、フォームシート６０の使い方をよく知らないユーザでもライセンスカード５０の画像データの処理手順を簡単に理解できるように、ライセンスカード５０の縮小図と文字とによって操作の手順が詳細に記されている。また、フォームシート６０は、各開口部６１，６２にライセンスカード５０を容易に挿入することができるように、且つ、各開口部６１，６２からライセンスカード５０を容易に取り外すことができるように、加工されている。
【００３１】
尚、フォームシート６０の上面に、図４（Ａ）に示すもののほか、ライセンスカード５０の画像データを処理するための操作手順として、ライセンスカード５０を各開口部６１，６２に挿入した後に原稿押えカバー２２を閉じるように促す旨の内容や、フォームシート６０を使用した後にこのフォームシート６０を収納する場所など、を記載するようにしてもよい。
【００３２】
また、フォームシート６０の上面には、各開口部６１，６２を閉じることによって各開口部６１，６２を覆うための蓋６６が各開口部６１，６２に対して取り付けられている。具体的には、図５に示すように、この蓋６６は、各開口部６１，６２の右側に位置する部分（図４では各開口部６１，６２の下側に位置する部分）がフォームシート６０の上面に固定されており、この蓋６６に当該蓋６６の開閉を行うための操作片６７が取り付けられている。そして、この蓋６６に取り付けられた操作片６７を手で操作することにより、各開口部６１，６２の開閉が行われる。
【００３３】
更に、図５に示すフォームシート６０において、各開口部６１，６２を覆う蓋６６の裏側（即ち、操作片６７が取り付けられる面と反対の面）には、各開口部６１，６２に原稿が挿入されていないことを認識させるための蓋側２次元コード（不図示）が表示されている。具体的に、第１及び第２の開口部６１，６２のうち第１の開口部６１を覆う蓋６６の裏側に表示された蓋側２次元コードには、この開口部６１がライセンスカード５０の裏面をスキャンするためのものであることを示す情報が記憶されている。また、第１及び第２の開口部６１，６２のうち第２の開口部６２を覆う蓋６６の裏側に表示された蓋側２次元コードには、この開口部６２がライセンスカード５０の表面をスキャンするためのものであることを示す情報が記憶されている。
【００３４】
そして、ライセンスカード５０の画像データの読み取りを行う際に、各開口部６１，６２にライセンスカード５０が挿入されていれば、蓋６６の裏側に表示された蓋側２次元コードがコンタクトガラス２３側から見てライセンスカード５０の裏側に位置するため、この蓋側２次元コードを読み取ることができない。一方、各開口部６１，６２にライセンスカード５０が挿入されていなければ、蓋６６の裏側に表示された蓋側２次元コードが読み取られ、各開口部６１，６２にライセンスカード５０が挿入されていないことが認識される。
【００３５】
一方、図４（Ｂ）に示すように、このフォームシート６０の下面には、フォームシート６０の表裏面を区別するために「この面は下にして使用してください」と記載されている。尚、フォームシート６０における下向きに使用される面は、コンタクトガラス２３と向き合う面であり、スキャナ部２６による画像データの読み取りが行われる面である。
【００３６】
また、図４（Ｂ）に示すように、このフォームシート６０の下面には、複数の下面側２次元コード６８が表示されている。これらの下面側２次元コード６８のうち、各開口部６１，６２の左上に表示された位置情報コードとしての下面側２次元コード６８のそれぞれには、開口部６１，６２の位置とサイズの情報が記憶されている。そして、開口部６１，６２の位置は、フォームシート６０の左上を始点とし、この位置から矢印で示す各開口部６１，６２の左上の位置までの距離を２次元座標で表したものである。また、開口部６１，６２のサイズは、矢印で示す各開口部６１，６２の左上の位置から開口部６１，６２の左下及び右上の位置までの距離を２次元座標で表したものである。
【００３７】
また、複数の下面側２次元コード６８のうち、フォームシート６０の左上と左下に表示された形式情報コード及び方向情報コードとしての下面側２次元コード６８のそれぞれには、フォームシート６０のＩＤ情報が記憶されている。ここで、図１に示すフラットベッドスキャナ２０の記憶媒体２７には、フォームシート６０のＩＤ情報に応じた画像データを処理するためのプログラムが格納されている。よって、フォームシート６０に表示された下面側２次元コード６８を読み取ることにより、記憶媒体２７に格納されたプログラムが実行されて、フォームシート６０のＩＤ情報に応じた画像データの処理が行われる。尚、記憶媒体２７に代えて、フォームシート６０の左上と左下に表示された下面側２次元コード６８の少なくとも一方に、フォームシート６０のＩＤ情報に応じた画像データを処理するためのプログラムを格納するようにしてもよい。
【００３８】
また、フォームシート６０の左上と左下に表示された下面側２次元コード６８のそれぞれに記憶されるフォームシート６０のＩＤ情報を読み取ることにより、これらのＩＤが記憶された下面側２次元コード６８が存在する位置の確認が行われる。続いて、フォームシート６０のＩＤ情報が記憶された下面側２次元コード６８が存在する位置より、フォームシート６０の向き（即ち、図４（Ｂ）に一点鎖線で示す向き）が求められる。そして、フォームシート６０のＩＤ情報に応じたプログラムが実行されるとき、フォームシート６０がコンタクトガラス２３上に正しい向きに載置されているか否かの確認が行われる。
【００３９】
このように構成されたフォームシート６０を用いて図３（Ａ）及び（Ｂ）に示すライセンスカード５０の画像データを読み取った後、これらの画像データを処理する方法について、図１〜図４を参照しながら説明する。
【００４０】
まず、ユーザは、図４（Ａ）及び（Ｂ）に示すフォームシート６０の記載に基づきフォームシート６０の表裏面を確認してから、図２に示すフラットベッドスキャナ２０のコンタクトガラス２３上の所定位置にフォームシート６０を載置する。このとき、図４（Ｂ）に示すフォームシート６０の「この面は下にして使用してください」と記載された面がコンタクトガラス２３と向き合うようにする。次に、ユーザは、図４（Ａ）に示すフォームシート６０の上面に記載された操作手順に従い、ライセンスカード５０の裏面をスキャンするために、ライセンスカード５０の表面を上に向けた状態でこのライセンスカード５０を第１の開口部６１に挿入する。
【００４１】
尚、ライセンスカード５０をフォームシート６０の第１の開口部６１に挿入した後、ライセンスカード５０がこの開口部６１に挿入されたフォームシート６０を、フラットベッドスキャナ２０のコンタクトガラス２３上の所定位置に載置するようにしてもよい。
【００４２】
そして、ユーザが、図２に示すフラットベッドスキャナ２０の原稿押えカバー２２を閉じ、スキャナ本体２１に設置されたスキャン開始ボタン（不図示）を押下すると、フォームシート６０のスキャンが開始され、図１に示すスキャナ部２６によって、フォームシート６０の下面の画像データ（即ち、フォームシート６０の下面に表示された複数の下面側２次元コード６８やライセンスカード５０の裏面の画像データ）が読み取られる。スキャナ部２６によって読み取られたフォームシート６０の下面の画像データは、マイクロコントローラ３０へ転送される。
【００４３】
続いて、マイクロコントローラ３０によって、フォームシート６０の下面に表示された複数の下面側２次元コード６８に記憶された情報が読み出される。しかしながら、マイクロコントローラ３０が、フォームシート６０の下面に表示された複数の下面側２次元コード６８を認識できないか、或いは、フォームシート６０の上面に表示された上面側２次元コード６５を認識した場合には、フォームシート６０の表裏面が逆の状態でコンタクトガラス２３上に載置されていることが考えられるため、フォームシート６０の表裏面を確認するようユーザに対して通知される。
【００４４】
一方、マイクロコントローラ３０が、フォームシート６０の下面に表示された複数の下面側２次元コード６８を認識することができた場合には、このマイクロコントローラ３０によって、フォームシート６０の左上と左下に表示された下面側２次元コード６８のそれぞれからフォームシート６０のＩＤ情報が読み出される。そして、マイクロコントローラ３０は、フォームシート６０のＩＤ情報が記憶された下面側２次元コード６８が存在する位置を確認し、フォームシート６０の向きを求める。
【００４５】
また、マイクロコントローラ３０は、フォームシート６０の左上と左下に表示された下面側２次元コード６８のそれぞれより読み出したフォームシート６０のＩＤ情報より、このＩＤに応じたプログラムを記憶媒体２７より取り出して実行する。そして、フォームシート６０のＩＤ情報に応じたプログラムが実行されるとき、マイクロコントローラ３０によって、フォームシート６０がコンタクトガラス２３上に正しい向きに載置されているか否かの確認が行われる。
【００４６】
このとき、マイクロコントローラ３０が、フォームシート６０がコンタクトガラス２３上に正しい向きに載置されていないことを確認すると、フォームシート６０が正しい向きに載置されていない状態のまま、フォームシート６０が正しい向きに載置されるものとして、このマイクロコントローラ３０によってフォームシート６０の向きが自動的に修正される。或いは、マイクロコントローラ３０が、フォームシート６０がコンタクトガラス２３上に正しい向きに載置されていないことを確認すると、フォームシート６０の向きを変更するようユーザに対して通知される。
【００４７】
一方、このとき、マイクロコントローラ３０が、フォームシート６０がコンタクトガラス２３上に正しい向きに載置されていることを確認すると、このマイクロコントローラ３０によって、フォームシート６０の下面における各開口部６１，６２の左上に表示された下面側２次元コード６８のそれぞれから各開口部６１，６２の位置とサイズの情報が読み出される。或いは、マイクロコントローラ３０が、フォームシート６０がコンタクトガラス２３上に正しい向きに載置されていないことを確認してフォームシート６０の向きを修正した後、このマイクロコントローラ３０によって、フォームシート６０の下面における各開口部６１，６２の左上に表示された下面側２次元コード６８のそれぞれから各開口部６１，６２の位置とサイズの情報が読み出される。
【００４８】
そして、マイクロコントローラ３０は、フォームシート６０の下面の画像データより各開口部６１，６２の位置とサイズにより指定される領域を切り取る。即ち、このマイクロコントローラ３０によって、フォームシート６０から２つの領域が切り取られる。続いて、マイクロコントローラ３０が、フォームシート６０から切り取られた２つの領域に画像データが存在するか否かを判定する。この判定結果により、マイクロコントローラ３０が、２つの領域の両方に画像データが存在しないことを確認すると、即ち、各開口部６１，６２を覆う蓋６６の裏側に表示された蓋側２次元コードを認識すると、フォームシート６０のスキャンが正常に行われていないため、フォームシート６０のスキャンをやり直すようユーザに対して通知される。
【００４９】
また、この判定結果により、マイクロコントローラ３０が、２つの領域のうちライセンスカード５０の表面をスキャンするための領域に画像データが存在することを確認すると、即ち、第１の開口部６１を覆う蓋６６の裏側に表示された蓋側２次元コードを認識すると、フォームシート６０のスキャンが正常に行われていないため、フォームシート６０のスキャンをやり直すようユーザに対して通知される。
【００５０】
一方、この判定結果により、マイクロコントローラ３０が、２つの領域のうちライセンスカード５０の裏面をスキャンするための領域に画像データが存在することを確認すると、即ち、第２の開口部６２を覆う蓋６６の裏側に表示された蓋側２次元コードを認識すると、マイクロコントローラ３０によって切り取られた図３（Ｂ）に示すライセンスカード５０の裏面の画像データが、図１に示す作業用メモリ２８に格納される。
【００５１】
図３（Ｂ）に示すライセンスカード５０の裏面の画像データの読み取りが終了すると、ユーザは、図４（Ａ）に示すフォームシート６０の上面に記載された操作手順に従い、ライセンスカード５０を第１の開口部６１から取り外す。そして、ユーザは、ライセンスカード５０の表面をスキャンするために、ライセンスカード５０をひっくり返して、ライセンスカード５０の裏面を上に向けた状態でこのライセンスカード５０を第２の開口部６２に挿入する。
【００５２】
続いて、ユーザが、図２に示すフラットベッドスキャナ２０の原稿押えカバー２２を閉じ、スキャナ本体２１に設置されたスキャン開始ボタン（不図示）を押下すると、フォームシート６０のスキャンが開始され、図１に示すスキャナ部２６によって、フォームシート６０の下面の画像データ（即ち、フォームシート６０の下面に表示された複数の下面側２次元コード６８やライセンスカード５０の表面の画像データ）が読み取られる。スキャナ部２６によって読み取られたフォームシート６０の下面の画像データは、マイクロコントローラ３０へ転送される。
【００５３】
そして、マイクロコントローラ３０が、フォームシート６０の下面に表示された複数の下面側２次元コード６８を認識することができた場合には、このマイクロコントローラ３０によって、フォームシート６０の左上と左下に表示された下面側２次元コード６８のそれぞれからフォームシート６０のＩＤ情報が読み出される。続いて、マイクロコントローラ３０は、フォームシート６０のＩＤ情報が記憶された下面側２次元コード６８が存在する位置を確認し、フォームシート６０の向きを求める。
【００５４】
また、マイクロコントローラ３０は、フォームシート６０の左上と左下に表示された下面側２次元コード６８のそれぞれより読み出したフォームシート６０のＩＤ情報より、このＩＤに応じたプログラムを記憶媒体２７より取り出して実行する。そして、フォームシート６０のＩＤ情報に応じたプログラムが実行されるとき、マイクロコントローラ３０によって、フォームシート６０がコンタクトガラス２３上に正しい向きに載置されているか否かの確認が行われる。
【００５５】
このとき、マイクロコントローラ３０が、フォームシート６０がコンタクトガラス２３上に正しい向きに載置されていることを確認すると、このマイクロコントローラ３０によって、フォームシート６０の下面における各開口部６１，６２の左上に表示された下面側２次元コード６８のそれぞれから各開口部６１，６２の位置とサイズの情報が読み出される。或いは、マイクロコントローラ３０が、フォームシート６０がコンタクトガラス２３上に正しい向きに載置されていないことを確認してフォームシート６０の向きを修正した後、このマイクロコントローラ３０によって、フォームシート６０の下面における各開口部６１，６２の左上に表示された下面側２次元コード６８のそれぞれから各開口部６１，６２の位置とサイズの情報が読み出される。
【００５６】
そして、マイクロコントローラ３０は、フォームシート６０の下面の画像データより各開口部６１，６２の位置とサイズにより指定される領域を切り取る。即ち、このマイクロコントローラ３０によって、フォームシート６０から２つの領域が切り取られる。続いて、マイクロコントローラ３０が、フォームシート６０から切り取られた２つの領域に画像データが存在するか否かを判定する。この判定結果により、マイクロコントローラ３０が、２つの領域の両方に画像データが存在しないことを確認すると、即ち、各開口部６１，６２を覆う蓋６６の裏側に表示された蓋側２次元コードを認識すると、フォームシート６０のスキャンが正常に行われていないため、フォームシート６０のスキャンをやり直すようユーザに対して通知される。
【００５７】
また、この判定結果により、マイクロコントローラ３０が、２つの領域のうちライセンスカード５０の裏面をスキャンするための領域に画像データが存在することを確認すると、即ち、第２の開口部６２を覆う蓋６６の裏側に表示された蓋側２次元コードを認識すると、フォームシート６０のスキャンが正常に行われていないため、フォームシート６０のスキャンをやり直すようユーザに対して通知される。
【００５８】
一方、この判定結果により、マイクロコントローラ３０が、２つの領域のうちライセンスカード５０の表面をスキャンするための領域に画像データが存在することを確認すると、即ち、第１の開口部６１を覆う蓋６６の裏側に表示された蓋側２次元コードを認識すると、マイクロコントローラ３０によって切り取られた図３（Ａ）に示すライセンスカード５０の表面の画像データが、図１に示す作業用メモリ２８に格納される。
【００５９】
このようにして、図３（Ａ）に示すライセンスカード５０の表面の画像データと図３（Ｂ）に示すライセンスカード５０の裏面の画像データとが、図１に示す作業用メモリ２８に格納される。そして、マイクロコントローラ３０は、フォームシート６０のＩＤ情報に応じたプログラムに基づき、作業用メモリ２８からこれらの画像データを取り出して結合し、図６に示す画像イメージを作成する。その後、マイクロコントローラ３０は、ライセンスカード５０の表面の画像データと裏面の画像データとを結合することにより作成された画像イメージを、図１に示す送受信部２９よりＬＡＮ４０を介して端末装置１０に転送する。
【００６０】
また、このように構成されたフラットベッドスキャナ２０では、上述のように、図４に示すフォームシート６０を用いて２種類のライセンスカード５０の処理を同時に行うことができる。この点について、図７を参照しながら説明する。尚、図７に示されるＡとＢの２種類のライセンスカード５０は、それぞれの表面に表示される人の髪の長さによって互いに区別されるものとする。
【００６１】
まず、ユーザは、図４（Ａ）及び（Ｂ）に示すフォームシート６０の記載に基づきフォームシート６０の表裏面を確認してから、図２に示すフラットベッドスキャナ２０のコンタクトガラス２３上の所定位置にフォームシート６０を載置する。次に、ユーザは、図４（Ａ）に示すフォームシート６０の上面に記載された操作手順に従い、Ａのライセンスカード５０の裏面の画像データをスキャンするために、Ａのライセンスカード５０の表面を上に向けた状態でこのライセンスカード５０を第１の開口部６１に挿入する。
【００６２】
そして、ユーザが、図２に示すフラットベッドスキャナ２０の原稿押えカバー２２を閉じ、スキャナ本体２１に設置されたスキャン開始ボタン（不図示）を押下すると、フォームシート６０のスキャンが開始され、図１に示すスキャナ部２６によって、フォームシート６０の下面の画像データ（即ち、フォームシート６０の下面に表示された複数の下面側２次元コード６８やＡのライセンスカード５０の裏面の画像データ）が読み取られる。スキャナ部２６によって読み取られたフォームシート６０の下面の画像データは、マイクロコントローラ３０へ転送される。
【００６３】
その後、マイクロコントローラ３０によって、フォームシート６０の下面に表示された下面側２次元コード６８からフォームシート６０のＩＤ情報が読み出され、フォームシート６０のＩＤ情報に応じたプログラムが実行される。これにより、マイクロコントローラ３０によって、フォームシート６０から２つの領域が切り取られ、図７に示すように、一方の領域内に存在するＡのライセンスカード５０の裏面の画像データが中間結果として作業用メモリ２８に格納される。
【００６４】
図７に示すＡのライセンスカード５０の裏面の画像データの読み取りが終了すると、ユーザは、図４（Ａ）に示すフォームシート６０の上面に記載された操作手順に従い、Ａのライセンスカード５０を第１の開口部６１から取り外す。そして、ユーザは、フォームシート６０の各開口部６１，６２にＡ及びＢのライセンスカード５０を挿入する。このとき、ユーザは、Ａのライセンスカード５０の表面をスキャンするために、Ａのライセンスカード５０をひっくり返して、Ａのライセンスカード５０の裏面を上に向けた状態でこのライセンスカード５０を第２の開口部６２に挿入する。また、ユーザは、Ｂのライセンスカード５０の裏面をスキャンするために、Ｂのライセンスカード５０の表面を上に向けた状態でこのライセンスカード５０を第１の開口部６１に挿入する。
【００６５】
続いて、ユーザが、図２に示すフラットベッドスキャナ２０の原稿押えカバー２２を閉じ、スキャナ本体２１に設置されたスキャン開始ボタン（不図示）を押下すると、フォームシート６０のスキャンが開始され、図１に示すスキャナ部２６によって、フォームシート６０の下面の画像データ（即ち、フォームシート６０の下面に表示された複数の下面側２次元コード６８やＡのライセンスカード５０の表面及びＢのライセンスカード５０の裏面の画像データ）が読み取られる。スキャナ部２６によって読み取られたフォームシート６０の下面の画像データは、マイクロコントローラ３０へ転送される。
【００６６】
その後、マイクロコントローラ３０によって、フォームシート６０の下面に表示された下面側２次元コード６８からフォームシート６０のＩＤ情報が読み出され、フォームシート６０のＩＤ情報に応じたプログラムが実行される。このとき、マイクロコントローラ３０が、フォームシート６０から切り取られた２つの領域のうちライセンスカード５０の裏面をスキャンするための領域に画像データが存在することを確認すると、即ち、第１の開口部６１を覆う蓋６６の裏側に表示された蓋側２次元コードを認識できないと、引き続きスキャン動作が行われるものと認識する。
【００６７】
また、フォームシート６０のＩＤ情報に応じたプログラムが実行されると、マイクロコントローラ３０によって、フォームシート６０から２つの領域が切り取られ、図７に示すように、２つの領域内のそれぞれに存在するＡのライセンスカード５０の表面の画像データとＢのライセンスカード５０の裏面の画像データとが作業用メモリ２８に格納される。
【００６８】
そして、マイクロコントローラ３０は、フォームシート６０のＩＤ情報に応じたプログラムに基づき、作業用メモリ２８からＡのライセンスカード５０の表面の画像データ及び裏面の画像データを取り出して結合し、図７に示す画像イメージを作成する。これにより、図７に示すように、Ｂのライセンスカード５０の裏面の画像データが中間結果として作業用メモリ２８に格納される。その後、マイクロコントローラ３０は、Ａのライセンスカード５０の表面の画像データと裏面の画像データとを結合することにより作成された画像イメージを、図１に示す送受信部２９よりＬＡＮ４０を介して端末装置１０に転送する。
【００６９】
図７に示すＡのライセンスカード５０の表面の画像データ及びＢのライセンスカード５０の裏面の画像データの読み取りが終了すると、ユーザは、図４（Ａ）に示すフォームシート６０の上面に記載された操作手順に従い、Ａのライセンスカード５０を第２の開口部６２から取り外すとともにＢのライセンスカード５０を第１の開口部６１から取り外す。そして、ユーザは、Ｂのライセンスカード５０の表面をスキャンするために、Ｂのライセンスカード５０をひっくり返して、Ｂのライセンスカード５０の裏面を上に向けた状態でこのライセンスカード５０を第２の開口部６２に挿入する。
【００７０】
続いて、ユーザが、図２に示すフラットベッドスキャナ２０の原稿押えカバー２２を閉じ、スキャナ本体２１に設置されたスキャン開始ボタン（不図示）を押下すると、フォームシート６０のスキャンが開始され、図１に示すスキャナ部２６によって、フォームシート６０の下面の画像データ（即ち、フォームシート６０の下面に表示された複数の下面側２次元コード６８やＢのライセンスカード５０の表面の画像データ）が読み取られる。スキャナ部２６によって読み取られたフォームシート６０の下面の画像データは、マイクロコントローラ３０へ転送される。
【００７１】
その後、マイクロコントローラ３０によって、フォームシート６０の下面に表示された下面側２次元コード６８からフォームシート６０のＩＤ情報が読み出され、フォームシート６０のＩＤ情報に応じたプログラムが実行される。このとき、マイクロコントローラ３０が、フォームシート６０から切り取られた２つの領域のうちライセンスカード５０の裏面をスキャンするための領域内に画像データが存在しないことを確認すると、即ち、第１の開口部６１を覆う蓋６６の裏側に表示された蓋側２次元コードを認識すると、今回でスキャン動作を終了するものと認識する。
【００７２】
また、フォームシート６０のＩＤ情報に応じたプログラムが実行されると、マイクロコントローラ３０によって、フォームシート６０から２つの領域が切り取られ、図７に示すように、一方の領域内に存在するＢのライセンスカード５０の表面の画像データが作業用メモリ２８に格納される。
【００７３】
そして、マイクロコントローラ３０は、フォームシート６０のＩＤ情報に応じたプログラムに基づき、作業用メモリ２８からＢのライセンスカード５０の表面の画像データ及び裏面の画像データを取り出して結合し、図７に示す画像イメージを作成する。その後、マイクロコントローラ３０は、Ｂのライセンスカード５０の表面の画像データと裏面の画像データとを結合することにより作成された画像イメージを、図１に示す送受信部２９よりＬＡＮ４０を介して端末装置１０に転送する。
【００７４】
尚、Ａのライセンスカード５０の裏面のスキャンが終了した後、作業用メモリ２８にＡのライセンスカード５０の裏面の画像データが格納されているにもかかわらず、図４に示すフォームシート６０とは異なる種類のフォームシート６０がスキャンされ、或いは、フォームシート６０なしの原稿がスキャンされたことをマイクロコントローラ３０が確認した場合には、作業用メモリ２８にＡのライセンスカード５０の裏面の画像データが残っていることがユーザに対して通知される。
【００７５】
同様に、Ａのライセンスカード５０の表面及びＢのライセンスカード５０の裏面のスキャンが終了した後、作業用メモリ２８にＢのライセンスカード５０の裏面の画像データが格納されているにもかかわらず、図４に示すフォームシート６０とは異なる種類のフォームシート６０がスキャンされ、或いは、フォームシート６０なしの原稿がスキャンされたことをマイクロコントローラ３０が確認した場合には、作業用メモリ２８にＢのライセンスカード５０の裏面の画像データが残っていることがユーザに対して通知される。
【００７６】
このようにして、ＡとＢの２種類のライセンスカード５０の処理が同時に行われる。ここで、ＡとＢの２種類のライセンスカード５０を１枚ずつ処理する場合には、Ａのライセンスカード５０とＢのライセンスカード５０のそれぞれをフォームシート６０における第１の開口部６１と第２の開口部６２に順に挿入する必要がある。即ち、フラットベッドスキャナ２０によるフォームシート６０のスキャン動作を４回行う必要がある。しかしながら、ＡとＢの２種類のライセンスカード５０を同時に処理する場合に、２回目にＡのライセンスカード５０の表面の画像データとＢのライセンスカード５０の裏面の画像データの両方の読み取りを行うことにより、フラットベッドスキャナ２０によるフォームシート６０のスキャン動作を３回で終えることができる。
【００７７】
本実施形態によれば、ライセンスカード５０のような大きさの小さい原稿の画像データの処理を行う場合に、第１及び第２の開口部６１，６２が設けられたフォームシート６０を用いることで、これらの開口部６１，６２にライセンスカード５０が挿入されたフォームシート６０をコンタクトガラス２３上の所定位置に正確に載置することができ、マイクロコントローラ３０が、読み取ったフォームシート６０の画像データからこれらの開口部６１，６２の領域を正確に切り取って当該開口部６１，６２の領域内に存在する原稿の画像データの処理を行うことができる。従って、本実施形態によれば、第１及び第２の開口部６１，６２が設けられたフォームシート６０を用いて、大きさの小さな原稿の画像処理を正確に、且つ短時間で行うことができる。
【００７８】
また、本実施形態によれば、ライセンスカード５０の上面にライセンスカード５０の縮小図と文字とによって操作の手順を詳細に記しておくことにより、フォームシート６０の使い方をよく知らないユーザでもライセンスカード５０の画像データを処理するための操作手順を簡単に理解することができる。また、本実施形態によれば、フォームシート６０の上面に切り欠き６３や縁取り６４等を設けることにより、各開口部６１，６２に対してライセンスカード５０を容易に出し入れすることができ、ライセンスカード５０の画像データを処理するための操作を簡単に行うことができる。
【００７９】
更に、本実施形態によれば、ライセンスカード５０の上面の２ヶ所にフォームシート６０のＩＤ情報が記憶された下面側２次元コード６８を表示させることにより、これらの下面側２次元コード６８が存在する位置に基づきフォームシート６０がコンタクトガラス２３上に正しい向きに載置されているか否かの確認を行うことができる。これにより、フォームシート６０がコンタクトガラス２３上に正しい向きに載置されていない場合に、フォームシート６０の向きを変更する旨の内容をユーザに対して通知することができ、原稿の画像処理のミスを確実に防止することができる。或いは、フォームシート６０がコンタクトガラス２３上に正しい向きに載置されていない場合に、フォームシート６０が正しい向きに載置されるものとして、このマイクロコントローラ３０によってフォームシート６０の向きを自動的に修正することで、ユーザがフォームシート６０の向きを変更することなしに、原稿の画像処理を短時間で行うことができる。
【００８０】
ここで、自動車運転免許証の更新の申請を行う者は、更新前の運転免許証の表面と裏面の画像を台紙に印刷する必要がある。この作業を行うために、従来には、まず、台紙の所定位置に運転免許証の表面を上にした状態でこの運転免許証を貼り付けて、台紙とともに運転免許証の表面を印刷する。そして、次に、運転免許証の表面の画像が印刷された台紙の所定位置に運転免許証の裏面を上にした状態でこの運転免許証を貼り付けて、台紙とともに運転免許証の裏面を印刷するようにしていた。
【００８１】
しかしながら、このような方法で更新前の運転免許証の表面と裏面の画像を台紙に印刷すると、台紙を２回コピーする必要があり、処理の途中で作成される運転免許証の表面の画像のみが印刷された台紙が無駄になるという問題があった。また、台紙に明確な処理手順が記載されていないと、運転免許証の表面と裏面を逆にした状態でこの運転免許証を台紙の所定位置に貼り付けてしまい、印刷後の台紙が無効となる場合があった。
【００８２】
これに対し、本実施形態では、第１の開口部６１に原稿を挿入してフォームシート６０をスキャンすることにより原稿の裏面の画像データが作業用メモリ２８に格納され、第２の開口部６２に原稿を挿入してフォームシート６０をスキャンすることにより原稿の表面の画像データが作業用メモリ２８に格納された後、作業用メモリ２８から原稿の表面と裏面の画像データが取り出されて結合される。このように、本実施形態によれば、原稿をフォームシート６０の各開口部６１，６２に挿入するだけでよいため、原稿を台紙に貼り付ける場合と比べて作業に要する時間を短縮することができる。また、本実施形態によれば、処理の途中で得られる原稿の裏面の画像データが印字出力されることがないため、片面が印字された無駄な用紙が発生することを防止できる。更には、フォームシート６０の各開口部６１，６２に原稿を挿入することにより、人手により原稿を台紙に貼り付ける場合と比べて、用紙の所定位置に正確に原稿の画像を印刷することができる。
【００８３】
尚、上記画像処理システムにおいて、フラットベッドスキャナ２０に液晶パネルなどによって構成される表示画面が設置されるとき、ユーザに対して行う通知の内容をこの表示画面に表示するようにしてもよい。また、図１に示すスキャナ部２６によって読み取られたライセンスカード５０の表面または裏面の画像データを処理の経過に応じて表示画面に表示するとともに、ライセンスカード５０の画像データを処理するための操作手順を表示画面に表示するようにしてもよい。
【００８４】
また、上記画像処理システムでは、フォームシート６０に２つの開口部６１，６２（即ち、第１の開口部６１と第２の開口部６２）を設けたが、これに限らず、フォームシート６０に開口部を１つだけ設けるようにしてもよい。そして、フォームシート６０に開口部が１つだけ設けられるとき、ライセンスカード５０の表面の画像データの読み取りが終了すると、ライセンスカード５０をひっくり返してこの開口部に挿入することにより、ライセンスカード５０の裏面の画像データの読み取りが行われる。
【００８５】
また、上記画像処理システムでは、図１に示すように、ＬＡＮ４０を通じて端末装置１０とフラットベッドスキャナ２０とが接続されることとしたが、これに限るものではない。即ち、通信ネットワークを通じて端末装置１０とフラットベッドスキャナ２０とが接続されていればよく、ＬＡＮ４０に代えて、例えば、インターネットを通じて端末装置１０とフラットベッドスキャナ２０とが接続されていてもよい。
【００８６】
また、上記画像処理システムにおいて、フォームシート６０の上面に各開口部６１，６２を覆う蓋６６が取り付けられていない場合には、図４（Ｂ）に示す各開口部６１，６２の左上に表示された下面側２次元コード６８に、これらの開口部６１，６２がライセンスカード５０の表面または裏面の何れの画像データを読み取るためのものであるかを示す情報が記憶される。
【００８７】
そして、ライセンスカード５０の画像データの読み取りを行う際に、図１に示すマイクロコントローラ３０が、フォームシート６０から切り取られた２つの領域内のそれぞれの画像濃度を調査する。この結果、フォームシート６０から切り取られた２つの領域内の全範囲に亘って画像濃度が一定値以下である場合に、マイクロコントローラ３０は、フォームシート６０に設けられた２つの開口部６１，６２の両方にライセンスカード５０が挿入されていないことを確認する。
【００８８】
また、この結果、フォームシート６０から切り取られた２つの領域のうち一方の領域内の全範囲に亘って画像濃度が一定値以下である場合に、マイクロコントローラ３０は、フォームシート６０に設けられた２つの開口部６１，６２のうちの何れか一方にライセンスカード５０が挿入されていないことを確認する。そして、マイクロコントローラ３０は、各開口部６１，６２の左上に表示された下面側２次元コード６８のうちこの領域を指定する下面側２次元コード６８に記憶された情報を読み出し、ライセンスカード５０が挿入されていない開口部が第１の開口部６１と第２の開口部６２の何れであるかを確認する。
【００８９】
また、上記画像処理システムに用いられる画像処理装置は、コンタクトガラス２３上に載置された原稿の画像データを読み取るスキャナ機能を有するものであれば、フラットベッドスキャナ２０以外のものであってもよい。ここでは、上記スキャナ機能を有する画像処理装置にコピー機能及びメール転送機能が搭載されるとともに、図１に示す記憶媒体２７にＯＣＲ（Optical Character Reader）ソフトが格納されるものとする。また、画像処理装置にメール転送機能が搭載されるとき、この画像処理装置と端末装置１０とがインターネットを通じて接続される。
【００９０】
このように構成された画像処理システムにおいて、ライセンスカード５０に代えて、名刺の画像データを読み取るとき、図４に示すものと同様の形式のフォームシート６０が用いられる。そして、フォームシート６０の第１の開口部６１または第２の開口部６２に名刺を挿入し、このフォームシート６０をコンタクトガラス２３上に載置してスキャン開始ボタン（不図示）を押下すると、図１に示すスキャナ部２６によって、フォームシート６０の上面または下面の画像データが読み取られる。スキャナ部２６によって読み取られたフォームシート６０の上面または下面の画像データは、図１に示すマイクロコントローラ３０へ転送される。マイクロコントローラ３０は、図４（Ｂ）に示すフォームシート６０の下面に表示された下面側２次元コード６８を読み出してフォームシート６０から名刺の表面または裏面の画像データを切り取り、ＯＣＲソフトを用いてこの画像データから文字情報を抽出する。
【００９１】
その後、マイクロコントローラ３０は、フォームシート６０のＩＤ情報に応じたプログラムに基づき、作業用メモリ２８から名刺の表面及び裏面の画像データを取り出して結合して画像イメージを作成する。そして、マイクロコントローラ３０は、名刺の表面及び裏面の画像データを結合することにより作成された画像イメージと名刺の表面と裏面のそれぞれの画像データから抽出された文字情報とをメールに添付し、これらのデータをメール転送機能を用いて、画像処理装置の送受信部２９よりインターネットを通じて端末装置１０に転送する。また、マイクロコントローラ３０は、名刺の表面及び裏面の画像データを結合することにより作成された画像イメージと名刺の表面と裏面のそれぞれの画像データから抽出された文字情報とを、データの確認用にコピー機能を用いて印字出力する。
【００９２】
更に、上記画像処理システムでは、コンタクトガラス２３上に載置されるとともにライセンスカード５０が第１及び第２の開口部６１，６２に挿入されたフォームシート６０の画像データを読み取る処理と、フォームシート６０の画像データに含まれる下面側２次元コード６８を認識し、フォームシート６０における第１及び第２の開口部６１，６２の領域を切り取って当該開口部６１，６２の領域内に存在するライセンスカード５０の画像データを加工する処理と、をフラットベッドスキャナ２０において行うようにしたが、これに限るものではない。
【００９３】
即ち、コンタクトガラス２３上に載置されるとともに原稿が第１及び第２の開口部６１，６２に挿入されたフォームシート６０の画像データを読み取る処理をフラットベッドスキャナ２０において行い、スキャナ部２６が読み取ったフォームシート６０の画像データをフラットベッドスキャナ２０よりＬＡＮ４０を介して端末装置１０に転送するようにしてもよい。そして、端末装置１０において、フォームシート６０の画像データに含まれる複数の下面側２次元コード６８を認識し、フォームシート６０における第１及び第２の開口部６１，６２の領域を切り取って当該開口部６１，６２の領域内に存在するライセンスカード５０の画像データを加工する処理を行うようにしてもよい。
【００９４】
或いは、コンタクトガラス２３上に載置されるとともに原稿が第１及び第２の開口部６１，６２に挿入されたフォームシート６０の画像データを読み取る処理をフラットベッドスキャナ２０において行い、スキャナ部２６が読み取ったフォームシート６０の画像データとマイクロコントローラ３０が読み出したフォームシート６０の画像データに含まれる複数の下面側２次元コード６８に記憶された情報とを、フラットベッドスキャナ２０よりＬＡＮ４０を介して端末装置１０に転送するようにしてもよい。そして、端末装置１０において、フォームシート６０の画像データと複数の下面側２次元コード６８に記憶された情報とに基づき、フォームシート６０における第１及び第２の開口部６１，６２の領域を切り取って当該開口部６１，６２の領域内に存在するライセンスカード５０の画像データを加工する処理を行うようにしてもよい。
【産業上の利用可能性】
【００９５】
以上説明したように、本発明は、原稿の画像処理を行うためのフォームシート、このフォームシートを用いて原稿の画像処理を行う画像処理装置、及びこの画像処理装置を備えた画像処理システムについて有用である。
【図面の簡単な説明】
【００９６】
【図１】実施形態に係る画像処理システムの構成を示すブロック図である。
【図２】実施形態に係るフラットベッドスキャナの全体構成を示す斜視図である。
【図３】ライセンスカードの表面及び裏面を表す図である。
【図４】実施形態に係るフォームシートの上面及び下面を表す図である。
【図５】フォームシートの上面に取り付けられた蓋の構成を示す斜視図である。
【図６】ライセンスカードの表面の画像データと裏面の画像データとを結合することにより作成された画像イメージを示す図である。
【図７】２種類のライセンスカードの画像処理の流れを示す図である。
【符号の説明】
【００９７】
１０  端末装置
２０  フラットベッドスキャナ
２１  スキャナ本体
２２  原稿押えカバー
２３  コンタクトガラス
２４  矢印
２５  ガイド線
２６  スキャナ部
２７  記憶媒体
２８  作業用メモリ
２９  送受信部
３０  マイクロコントローラ
４０  ＬＡＮ
５０  ライセンスカード
６０  フォームシート
６１  第１の開口部
６２  第２の開口部
６３  切り欠き
６４  縁取り
６５  上面側２次元コード
６６  蓋
６７  操作片
６８  下面側２次元コード
【図１】
2007081607.tif 000003
【図２】
2007081607.tif 000004
【図３】
2007081607.tif 000005
【図４】
2007081607.tif 000006
【図５】
2007081607.tif 000007
【図６】
2007081607.tif 000008
【図７】
2007081607.tif 000009